【手続補正書】
【提出日】令和1年8月30日(2019.8.30)
【手続補正１】
【補正対象書類名】明細書
【補正対象項目名】発明の名称
【補正方法】変更
【補正の内容】
【発明の名称】インフレーターを含むシステム、衣服及び装置、並びにインフレーター
【手続補正２】
【補正対象書類名】特許請求の範囲
【補正対象項目名】全文
【補正方法】変更
【補正の内容】
【特許請求の範囲】
【請求項１】
システムであって、
インフレーター放出口を有するインフレーターと、
前記インフレーター放出口を通して前記インフレーターからガスを受け入れるように構成される可撓性のある透過性の内側管と、
前記内側管を取り囲み且つ前記内側管からガスを受け入れるように構成される可撓性のある外側管であって、１つ以上の外側管放出口を含む可撓性外側管と
を含む、システム。
【請求項２】
前記内側管は、織られたポリエステル、ナイロン、ケブラー、及び／又は金属繊維を含む、請求項１に記載のシステム。
【請求項３】
前記内側管は、インフレーターガスの放出が前記内側管を広げ且つ長くして前記インフレーターガスの衝撃を消散させるように当初の折り畳まれた形状を有するように構成される、請求項２に記載のシステム。
【請求項４】
前記外側管は、織られたポリエステル、ナイロン、及び／又はケブラーを含む、請求項１に記載のシステム。
【請求項５】
前記外側管は、前記外側管の長さに沿って軸方向に間隔を置いて配置される複数の前記外側管放出口を含む、請求項１に記載のシステム。
【請求項６】
前記複数の外側管放出口は、第１外側管放出口と第２外側管放出口とを有し、
前記第２外側管放出口と前記インフレーターとの間の距離は、前記第１外側管放出口と前記インフレーターとの間の距離よりも大きく、
前記第２外側管放出口の直径は、前記第１外側管放出口の直径よりも大きい、請求項５に記載のシステム。
【請求項７】
前記外側管は不透過性の内側コーティングを含む、請求項１に記載のシステム。
【請求項８】
前記不透過性の内側コーティングは、ポリウレタン、天然ゴム、及び／又はシリコーンを含む、請求項７に記載のシステム。
【請求項９】
前記内側管と前記外側管との間に配置される吸音層を更に含む、請求項１に記載のシステム。
【請求項１０】
前記吸音層は、繊維ガラス、エーロゲル、フェルト、ケブラー、ノーメックス、連続気泡発泡体、及び／又はポリベンゾビスオキサゾールを含む、請求項９に記載のシステム。
【請求項１１】
前記吸音層は透過性の織布を含む、請求項９に記載のシステム。
【請求項１２】
前記内側管を前記インフレーターに接続するハウジングを更に含む、請求項１に記載のシステム。
【請求項１３】
エアバッグ又はクッションを更に含み、
前記エアバッグ又はクッションは、前記外側管放出口を通して前記外側管からガスを受け入れるように構成される、請求項１に記載のシステム。
【請求項１４】
衣服であって、
請求項１に記載のシステムと、
エアバッグ又はクッションと
を含み、
前記エアバッグ又はクッションは、前記外側管放出口を通して前記外側管からガスを受け入れるように構成される、衣服。
【請求項１５】
システムであって、
インフレーター放出口を有するインフレーターと、
前記インフレーター放出口を通して前記インフレーターからガスを受け入れるように構成される可撓性のある非透過性の管と、
前記管に又は前記管に隣接して配置される透過性のガス拡散要素であって、前記管を通して前記インフレーターからガスを受け入れるように構成される拡散要素と
を含むシステム。
【請求項１６】
前記拡散要素は、拡散要素出口を含み、
前記システムは、前記出口を通して前記拡散要素からガスを受け入れるように構成される追加の非透過性の管を更に含み、
前記追加の管は管放出口を含む、請求項１５に記載のシステム。
【請求項１７】
前記拡散要素は、多孔質金属発泡体、織物金属又は非金属スクリーンを含む、請求項１５に記載のシステム。
【請求項１８】
前記拡散要素は、高分子発泡体ビーズ、エラストマービーズ、砂、バーミキュライトビーズ、及び／又はガラスビーズを収容する透過性の外側包囲体を含む、請求項１５に記載のシステム。
【請求項１９】
前記管を前記インフレーターに接続するハウジングを更に含む、請求項１５に記載のシステム。
【請求項２０】
エアバッグ又はクッションを更に含み、
前記エアバッグ又はクッションは、前記拡散要素を通して前記管からガスを受け入れるように構成される、請求項１５に記載のシステム。
【請求項２１】
衣服であって、
請求項１５に記載のシステムと、
エアバッグ又はクッションと
を含み、
前記エアバッグ又はクッションは、前記拡散要素を通して前記管からガスを受け入れるように構成される、衣服。
【請求項２２】
システムであって、
インフレーター放出口を有するインフレーターと、
前記インフレーターに取り付けられたハウジングであって、半径方向延長部を含むハウジングと、
前記ハウジングの半径方向延長部に配置される透過性のガス拡散プラグと
を含み、
前記システムは、前記インフレーター放出口を出るガスが前記ハウジングに入り、次いで前記ハウジングの半径方向延長部に配置される前記透過性のガス拡散プラグを通して前記ハウジングを出るように構成される、システム。
【請求項２３】
前記拡散プラグは、多孔質金属発泡体、織物金属又は非金属スクリーンを含む、請求項２２に記載のシステム。
【請求項２４】
前記拡散プラグは、高分子発泡体ビーズ、エラストマービーズ、砂、バーミキュライトビーズ、及び／又はガラスビーズを収容する透過性の外側包囲体を含む、請求項２２に記載のシステム。
【請求項２５】
エアバッグ又はクッションを更に含み、
前記エアバッグ又はクッションは、前記拡散プラグを通して前記ハウジングの放出口からガスを受け入れるように構成される、請求項２２に記載のシステム。
【請求項２６】
衣服であって、
請求項２２に記載のシステムと、
エアバッグ又はクッションと
を含み、
前記エアバッグ又はクッションは、前記拡散プラグを通して前記ハウジングの放出口からガスを受け入れるように構成される、衣服。
【請求項２７】
システムであって、
インフレーター放出口を有するインフレーターと、
前記インフレーター放出口を通して前記インフレーターからガスを受け入れるように構成される犠牲的な内側管と、
前記内側管を取り囲む外側管であって、１つ以上の外側管放出口を含み、前記外側管の材料のフープ強度が前記内側管の材料のフープ強度よりも高い外側管と
を含み、
前記システムは、前記内側管内の圧力が十分な値に達したときに前記インフレーター放出口から出るガスが入り、前記１つ以上の外側管放出口に対応する位置で前記内側管が破裂し、それにより前記１つ以上の外側管放出口を通してガスを放出するように構成される、システム。
【請求項２８】
前記外側管は、前記内側管の長さに沿って軸方向に間隔を置いて配置される複数の前記外側管放出口を含む、請求項２７に記載のシステム。
【請求項２９】
前記外側管は第１外側管であり、前記外側管放出口は第１外側管放出口であり、
前記システムは、前記第１外側管を取り囲み且つ前記第１外側管放出口を通して前記第１外側管からガスを受け入れるように構成される第２外側管であって、１つ以上の第２外側管放出口を含む第２外側管を更に含む、請求項２７に記載のシステム。
【請求項３０】
前記第１外側管は、前記第１外側管の長さに沿って軸方向に間隔を置いて配置される複数の前記第１外側管放出口を含み、
前記第２外側管は、前記第２外側管の長さに沿って軸方向に間隔を置いて配置される複数の前記第２外側管放出口を含む、請求項２９に記載のシステム。
【請求項３１】
前記第２外側管放出口は、前記第１外側管及び第２外側管の軸方向において前記第１外側管放出口からずらされている、請求項３０に記載のシステム。
【請求項３２】
エアバッグ又はクッションを更に含み、
前記エアバッグ又はクッションは、前記１つ以上の外側管放出口を通して前記内側管からガスを受け入れるように構成される、請求項２７に記載のシステム。
【請求項３３】
衣服であって、
請求項２７に記載のシステムと、
エアバッグ又はクッションと
を含み、
前記エアバッグ又はクッションは、前記１つ以上の外側管放出口を通して前記内側管からガスを受け入れるように構成される、衣服。
【請求項３４】
インフレーターであって、
第１インフレーター放出口と、
複数の第２インフレーター放出口と
を含み、
前記第２インフレーター放出口の直径は、前記第１インフレーター放出口の直径よりも小さい、インフレーター。
【請求項３５】
前記第２インフレーター放出口は、前記第１インフレーター放出口の周りに周方向に配置される、請求項３４に記載のインフレーター。
【請求項３６】
システムであって、
請求項３４に記載のインフレーターと、
エアバッグ又はクッションと
を含み、
前記エアバッグ又はクッションは、前記第１インフレーター放出口及び前記複数の第２インフレーター放出口を通して前記インフレーターからガスを受け入れるように構成される、システム。
【請求項３７】
衣服であって、
請求項３４に記載のインフレーターと、
エアバッグ又はクッションと
を含み、
前記エアバッグ又はクッションは、前記第１インフレーター放出口及び前記複数の第２インフレーター放出口を通して前記インフレーターからガスを受け入れるように構成される、衣服。
【請求項３８】
インフレーターであって、
それを通してガスを放出可能な内部開口部と、
複数の内部調節要素と、
インフレーター放出口と
を含み、
前記インフレーターは、ガスが、前記内部開口部を通って放出されると、前記インフレーター放出口を出る前に前記複数の内部調節要素を横切って移動するように構成される、インフレーター。
【請求項３９】
システムであって、
請求項３８に記載のインフレーターと、
エアバッグ又はクッションと
を含み、
前記エアバッグ又はクッションは、前記インフレーター放出口を通して前記インフレーターからガスを受け入れるように構成される、システム。
【請求項４０】
衣服であって、
請求項３８に記載のインフレーターと、
エアバッグ又はクッションと
を含み、
前記エアバッグ又はクッションは、前記インフレーター放出口を通して前記インフレーターからガスを受け入れるように構成される、衣服。
【請求項４１】
システムであって、
インフレーター放出口を有するインフレーターと、
前記インフレーター放出口を通して前記インフレーターからガスを受け入れるように構成される可撓性のある非透過性の分割された管であって、前記インフレーターと反対側の前記管の端部に配置される管放出口を含む管と
を含み、
前記管は、前記インフレーターから放出されるガスが前記管に入り、それぞれの１つ以上の破裂シームを通ってチャンバーの中を移動するように、破裂シームを介して互いに連通可能に連結される複数のチャンバーを含む、システム。
【請求項４２】
前記１つ以上の破裂シームは封止され、第１チャンバー内の圧力が所定値に達すると、ガスが順番に第２チャンバーに移動する前に前記破裂シームが破裂するように連続的なチャンバー間に犠牲的な障壁を提供する、請求項４１に記載のシステム。
【請求項４３】
前記１つ以上の破裂シームは部分的に開いている、請求項４１に記載のシステム。
【請求項４４】
前記破裂シームは、前記インフレーターから離れるガスの流れを可能にするが、前記インフレーターに向かうガスの流れを阻止するように構成される一方向弁を含む、請求項４１に記載のシステム。
【請求項４５】
前記管を取り囲み且つ前記管放出口を通して前記管からガスを受け入れるように構成される外側管であって、１つ以上の外側管放出口を含む外側管を更に含む、請求項４１に記載のシステム。
【請求項４６】
エアバッグ又はクッションを更に含み、
前記エアバッグ又はクッションは、前記管放出口を通して前記管からガスを受け入れるように構成される、請求項４１に記載のシステム。
【請求項４７】
衣服であって、
請求項４１に記載のシステムと、
エアバッグ又はクッションと
を含み、
前記エアバッグ又はクッションは、前記管放出口を通して前記管からガスを受け入れるように構成される、衣服。
【請求項４８】
衣服であって、
請求項４５に記載のシステムと、
エアバッグ又はクッションと
を含み、
前記エアバッグ又はクッションは、前記外側管放出口を通して前記外側管からガスを受け入れるように構成される、衣服。
【請求項４９】
装置であって、
インフレーター放出口を有するインフレーターと、
前記インフレーターを取り囲むハウジングであって、空気チャンバーを画定し且つハウジング放出口を含むハウジングと、
前記空気チャンバー内に配置される複数の内部調節要素と
を含み、
前記インフレーター放出口から放出されるガスが、前記ハウジング放出口から出る前に前記複数の内部調節要素を通過して前記空気チャンバーの中を流れるように構成される、装置。
【請求項５０】
エアバッグ又はクッションを更に含み、
前記エアバッグ又はクッションは、前記ハウジング放出口を通して前記インフレーターからガスを受け入れるように構成される、請求項４９に記載の装置。
【請求項５１】
衣服であって、
請求項４９に記載の装置と、
エアバッグ又はクッションと
を含み、
前記エアバッグ又はクッションは、前記ハウジング放出口を通して前記インフレーターからガスを受け入れるように構成される、衣服。
【請求項５２】
システムであって、
インフレーター放出口を有するインフレーターと、
前記インフレーター放出口を通して前記インフレーターからガスを受け入れるように構成される可撓性のある非透過性の内側管と、
前記内側管を取り囲む外側管であって、前記内側管と前記外側管との間に細長いチャンバーを画定し且つ複数の外側管放出口を含む外側管と、
前記インフレーターと反対側の前記内側管の端部を前記インフレーターと反対側の前記外側管の端部に接続する端部キャップと
を含み、
前記インフレーター放出口から放出されるガスが、前記外側管放出口から出る前に前記内側管の中を流れ、前記外側管によって画定される前記細長いチャンバーを通過するように構成される、システム。
【請求項５３】
エアバッグ又はクッションを更に含み、
前記エアバッグ又はクッションは、前記外側管放出口を通して前記外側管からガスを受け入れるように構成される、請求項５２に記載のシステム。